(57)【要約】【課題】良好な狭角特性と中落ち抑制の両方を実現し易い照明装置を提供すること。【解決手段】照明装置１が、筐体１０と、筐体１０内に固定される光源２２と、筐体１０内に固定され、光源２２よりもＺ方向の光出射側に位置する光出射部８８を有する固定レンズ４０と、固定レンズ４０よりもＺ方向の光出射側に配置される投光部８７を有し、光源２２との光軸方向の距離が変動可能である移動レンズ６０と、を備えるようにする。移動レンズ６０は、外周側に１以上の環状のフレネル部６８を有してもよい。また、固定レンズ４０が、移動レンズ６０よりも耐熱性に優れると好ましい。【選択図】図３
2020077602.tif 000002
【特許請求の範囲】
【請求項１】
筐体と、
前記筐体内に固定される光源と、
前記筐体内に固定され、前記光源よりも光軸方向の光出射側に位置する光出射部を有する固定レンズと、
前記固定レンズよりも前記光軸方向の前記光出射側に配置される投光部を有し、前記光源との前記光軸方向の距離が変動可能である移動レンズと、
を備える照明装置。
【請求項２】
前記移動レンズが、前記光軸方向における前記光出射側とは反対側に突出する１以上の環状のフレネル部を外周側に有する請求項１に記載の照明装置。
【請求項３】
前記固定レンズが、前記移動レンズよりも耐熱性に優れる請求項１又は２に記載の照明装置。
【請求項４】
前記光源は、基板に実装され、
前記固定レンズの前記基板側の先端は、前記光源における前記光出射側の先端に対して前記光軸方向に１ｍｍ前記光出射側に移動した位置よりも前記光軸方向の前記基板側に位置する、請求項１乃至３のいずれか１つに記載の照明装置。
【請求項５】
前記光源が、前記基板に実装された複数の発光素子と、その複数の発光素子を封止する封止部材とを含み、
前記光源から出射される出射光の光軸が、前記固定レンズの中心軸に略一致すると共に、前記移動レンズの中心軸に略一致し、
前記固定レンズの前記光出射側のレンズ有効径が、前記光源の前記光軸方向の光出射側の環状縁の外接円の直径よりも大きく、前記移動レンズの前記光出射側のレンズ有効径よりも小さい、請求項１乃至４のいずれか１つに記載の照明装置。
【請求項６】
前記固定レンズの前記レンズ有効径が、前記外接円の直径の２.５倍以下である、請求項５に記載の照明装置。
【請求項７】
前記固定レンズは、そこから出射する出射光の内で周囲に位置する光を、最も前記光軸方向の光出射側に位置している前記移動レンズの光入射面の外縁部に入射させることが可能な集光度を有する、請求項１乃至６のいずれか１つに記載の照明装置。
【請求項８】
前記固定レンズが、前記光源に対して前記光軸方向に対向する対向面と、前記対向面よりも外周側に位置して、前記対向面よりも前記光軸方向の前記光出射側とは反対側に突出する環状のフレネル部と、を有し、
前記光源の光出射面が、前記対向面と前記環状のフレネル部とが画定する凹部に収容されている、請求項１乃至７のいずれか１つに記載の照明装置。
【請求項９】
前記光源が、前記基板に実装された複数の発光素子と、その複数の発光素子を封止する封止部材とを含み、
前記光源から出射される出射光の光軸が、前記固定レンズの中心軸に略一致すると共に、前記移動レンズの中心軸に略一致し、
前記固定レンズの前記レンズ有効径が、前記１以上の環状のフレネル部のうちで最も径方向の内方側に位置する内側フレネル部の内径よりも小さい、請求項２に記載の照明装置。
【発明の詳細な説明】
【技術分野】
【０００１】
本開示は、照明装置に関する。
【背景技術】
【０００２】
従来、照明装置としては、特許文献１に記載されているものがある。この照明装置は、基台、光源モジュール、第１円筒部材、第２円筒部材、レンズ保持体、及びレンズを備える。基台は、筐体上側を構成し、光出射側とは反対側に複数のフィンを有する。また、光源モジュールは、基台の光出射側の端面（主面）に固定され、光軸方向のフィン側とは反対側に光を出射する。第１円筒部材は、基台に相対移動不可に固定される。また、第２円筒部材は、第１円筒部材に光軸方向に相対移動可能に取り付けられ、第１円筒部材に対して回転すると第１円筒部材に対する高さ位置が変動する。レンズ保持体は、照明装置の筐体下側を構成し、第２円筒部材の径方向外側に相対移動不可に固定される。また、レンズは、レンズ保持体の内側に相対移動不可に固定される。レンズは、光軸方向において光源モジュールよりも光出射側に位置する。この照明装置では、レンズ保持体を基台に対して回転させることで基台に対するレンズ保持体の高さ位置を変動させることができ、光源モジュールに対するレンズの光軸方向位置を適切に調整できる。したがって、出射光の侠角性能の調整が可能となって配光制御の自由度を大きくでき、所望の調光を実現し易い。
【先行技術文献】
【特許文献】
【０００３】
【特許文献１】特許第６１５９４６０号公報
【発明の概要】
【発明が解決しようとする課題】
【０００４】
上記照明装置では、狭角特性（レンズが光源から離れた位置における配光領域を狭くする特性）を向上させようとすると、照射光の中落ち（照射領域の中央部が暗くなる現象）が、レンズの広範囲な光軸方向位置で生じ易い。他方、レンズの中落ちの発生を抑制しようとすると、上記狭角特性が悪化し易い。
【０００５】
そこで、本開示の目的は、良好な狭角特性と中落ち抑制の両方を実現し易い照明装置を提供することにある。
【課題を解決するための手段】
【０００６】
上記課題を解決するため、本開示に係る照明装置は、筐体と、筐体内に固定される光源と、筐体内に固定され、光源よりも光軸方向の光出射側に位置する光出射部を有する固定レンズと、固定レンズよりも光軸方向の光出射側に配置される投光部を有し、光源との光軸方向の距離が変動可能である移動レンズと、を備える。
【発明の効果】
【０００７】
本開示に係る照明装置によれば、良好な狭角特性と中落ち抑制の両方を実現し易い。
【図面の簡単な説明】
【０００８】
【図１】本開示の一実施形態に係る照明装置の主要部の斜視図である。
【図２】照明装置の主要部の分解斜視図である。
【図３】上記主要部の中心軸を含む切断面における断面図である。
【図４】照明装置の筐体に取り付けられた固定レンズアッセンブリを下側から見たときの斜視図である。
【図５】固定レンズの斜視図である。
【図６】レンズ取付部材の斜視図である
【図７】固定レンズアッセンブリの斜視図である。
【図８】レンズ取付部材を取り外した固定レンズアッセンブリを下から見た斜視図である。
【図９】図８に示す状態から更に固定レンズを取り外した固定レンズアッセンブリを下から見た斜視図である。
【図１０】光源モジュールを取り外した固定レンズアッセンブリを上から見た斜視図である。
【図１１】光源モジュールを保持した基板ホルダを上から見た斜視図である。
【図１２】レンズホルダとそれに保持された移動レンズとで構成される光学ブロックの斜視図である。
【図１３】レンズホルダの斜視図である。
【図１４】移動レンズの斜視図である。
【図１５】回転部材の斜視図である。
【図１６】回転部材アッセンブリの斜視図である。
【図１７】照明装置の模式断面図であり、固定レンズの出射光制御について説明するための模式断面図である。
【図１８】１枚の移動レンズのみを有する参考例の照明装置、並びに固定レンズ及び移動レンズ（２枚のレンズ）を有する一実施例の照明装置の夫々の光学効率と、移動レンズの光軸方向位置との関係について説明する図である。
【図１９】１枚の移動レンズのみを有する参考例の照明装置における移動レンズの位置と配光の関係について説明する図である。
【図２０】固定レンズ及び移動レンズ（２枚のレンズ）を有する一実施例の照明装置における移動レンズの位置と配光の関係について説明する図である。
【図２１】移動レンズが光源から離れた位置に存在するときの照明装置の各部位の温度を説明するための模式断面図である。
【図２２】移動レンズが光源の近傍に位置するときの照明装置の各部位の温度を説明するための模式断面図である。
【図２３】移動レンズが光源から最も離れた狭角位置に配置されている状態における、光源、固定レンズ、及び移動レンズの位置関係の一例を表す模式図である。
【図２４】固定レンズから出射された周囲光が狭角位置に配置されている移動レンズの光入射面の外縁部に入射している場合における、移動レンズによる配光制御について説明する模式図である。
【図２５】照明装置との比較において、固定レンズが存在しなくて、移動レンズのみが存在する照明装置における、中角位置での光の進行方向を表す図である。
【図２６】移動レンズが光源に最も近づいている広角位置に配置されている状態における図２３に対応する模式図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、以下の実施例では、異なる図間において、各部材における、縦、横、高さ等の寸法比は、必ずしも一致しない。また、以下の説明及び図面において、Ｒ方向は、以下で説明するレンズ本体４１の径方向を示し、θ方向は、レンズ本体４１の周方向を示す。また、Ｚ方向は、照明装置１の高さ方向を示し、後で説明する光源モジュール２０の基板２１の厚さ方向に一致し、光軸方向にも一致する。Ｒ方向、θ方向、及びＺ方向は、互いに直交する。また、以下の説明で、中心軸とは、レンズ本体４１の中心軸を含む直線を示す。
【００１０】
また、以下の説明では、Ｚ方向が、照明装置の光源から出射される光の光軸方向に一致する場合について説明する。しかし、Ｚ方向は、照明装置の光源から出射される光軸方向に一致しなくてもよい。また、以下の説明で、鉛直方向や水平方向に関連する文言、例えば、下側、上側、水平方向等を用いた場合、それらの文言は、照明装置からの出射光が鉛直方向下側に照射され、その出射光の光軸が鉛直方向に一致している状態で表現されている。換言すると、本実施例では、照明装置が、Ｚ方向が鉛直方向に一致するように配置される場合を例に説明を行う。補足すると、本開示の照明装置は、鉛直方向に対する出射光の光軸方向の傾斜角度を調整できるユニバーサル型の照明装置でもよいが、その場合、鉛直方向や水平方向に関連する文言は、出射光の光軸方向が鉛直方向に一致している状態で表現されたものとなる。また、本明細書では、下側とは、Ｚ方向の投光側のことを指し、上側とは、Ｚ方向の投光側とは反対側を指す。また、本明細書では、「略」という文言は、「大雑把に言って」という文言と同じ意味合いで用いており、「略」の要件は、人がだいたいそのように見えれば満たされる。また、以下の説明で、レンズ有効径を、レンズにおいて光線が通過する面の光線が通過する領域の最大径として定義する。レンズ有効径を、レンズの光軸上の無限遠物点から出てレンズを通過する平行光線束の直径として定義してもよい。なお、レンズの保持部のような突起部分等にも光が入射する場合はあるが、当該突起部分等については有効径に含めない。また、以下で説明される構成要素のうち、最上位概念を示す独立請求項に記載されていない構成要素については、任意の構成要素であり、必須の構成要素ではない。
【００１１】
図１は、本開示の一実施形態に係る照明装置１の主要部の斜視図である。図１に示すように、照明装置１は、埋込型ダウンライトであり、ホール等の建物の天井に埋め込み配置され、下方を照明する。照明装置１は、有底円筒状部１１を有する筐体１０を備える。有底円筒状部１１は、筐体１０内に光源２２（図９参照）を取り付ける際の取付台として機能する。筐体１０は、上方に突出する複数のフィン１２を有する。筐体全体は、光源２２で発生する熱を放散させる役割を果たし、特にフィン１２が光源２２からの熱を外気に放熱する。このため、筐体１０は、金属材料等の熱伝導率の高い材料によって構成されると好ましい。筐体１０は、例えば、アルミダイカスト等で、有底円筒状部１１とフィン１２を一体成形することで構成される。なお、筐体は、有底円筒状部とフィンを接合する構成でもよい。この場合、例えば、有底円筒状部に設けた突起を、フィンに設けられた孔に挿入した後に塑性変形させることで、有底円筒状部とフィンを接続してもよい。なお、筐体は、フィンを有さなくてもよい。また、筐体は、アルミニウム以外の金属材料で構成されてもよく、ポリブチレンテレフタレート等の樹脂材料によって形成されてもよい。
【００１２】
詳述しないが、筐体の円筒外周面には、例えば、図示しない２つの取付バネが、取り付けられる。２つの取付バネは、例えば、枠体外側に中心軸を挟んで径方向（Ｒ方向に一致）に対向するように配置され、ボルト等で枠体の円筒外周面に固定される。各取付バネは、例えば、外力が作用しない天井の埋め込み孔に固定される前の状態において略水平方向に延在する。取付バネは、例えば、長尺状の金属板によって構成され、板バネ構造を有する。取付バネが鉛直方向に延在するように、取付バネを歪ませ、取付バネを埋め込み孔の周囲に当接させる。取付バネが埋め込み孔内面から受ける水平方向の力で、照明装置１を天井の埋め込み孔内面に固定する。なお、取付バネは３以上設けられてもよい。また、照明装置を天井に取り付ける取付構造は、照明装置を天井に固定できる構造であれば如何なる構造でもよく、取付バネを含まなくてもよい。
【００１３】
図２は、照明装置１の主要部の分解斜視図であり、図３は、当該主要部の中心軸を含む切断面における断面図である。図２に示すように、照明装置１は、筐体１０、光源モジュール２０、基板ホルダ３０、固定レンズ４０、ホルダ固定部材４２、レンズ取付部材４５、移動レンズ６０、環状のレンズホルダ７０、及び環状の回転部材８０を備える。基板ホルダ３０は、光源モジュール２０の基板２１を保持し、ホルダ固定部材４２は、基板ホルダ３０を筐体内側の上側端面（主面）に固定する際に用いられる。また、レンズ取付部材４５は、基板２１の下側に配置される固定レンズ４０を基板ホルダ３０に取り付けるために用いられ、レンズホルダ７０は、移動レンズ６０を保持する。また、回転部材８０は、レンズホルダ７０を筐体１０に対して光軸方向に移動させる役割を果たす。
【００１４】
図３に示すように、固定レンズ４０は、光源モジュール２０の下側に配置され、移動レンズ６０は、固定レンズ４０の下側に配置される。より正確には、固定レンズ４０の光出射部（Ｚ方向の光出射側の端面）８８が、光源モジュール２０よりもＺ方向の光出射側（Ｚ方向下側）に配置され、移動レンズ６０の投光部（Ｚ方向の光出射側の端面）８７が、固定レンズ４０よりもＺ方向の光出射側（Ｚ方向下側）に配置される。また、レンズホルダ７０は、移動レンズ６０を取り囲むように移動レンズ６０の外径側に配置され、回転部材８０は、レンズホルダ７０を取り囲むようにレンズホルダ７０の外径側に配置される。
【００１５】
図４は、筐体１０に取り付けられた固定レンズアッセンブリ９０を下側から見たときの斜視図である。光源モジュール（図３参照）２０、基板ホルダ３０、固定レンズ４０、ホルダ固定部材４２、及びレンズ取付部材４５は、統合されて一体化される。固定レンズアッセンブリ９０は、その一体化された構造を含む。以下では、先ず、固定レンズアッセンブリ９０の構造について説明し、筐体１０に対する固定レンズアッセンブリ９０の固定構造についても説明する。
【００１６】
図５は、固定レンズ４０の斜視図であり、図６は、レンズ取付部材４５の斜視図である。また、図７は、固定レンズアッセンブリ９０の斜視図である。図５に示すように、固定レンズ４０は、レンズ本体４１と、２つのレンズ固定部５７を有する。固定レンズ４０は、透光性を有する透光性材料によって構成される。固定レンズ４０は、アクリル、ポリカーボネート、シリコーン等の透明樹脂材料、又は、ガラス材料によって形成されると好ましく、耐熱性が高い透光性材料、例えば、シリコーン材料やガラスで構成されると更に好ましい。レンズ本体４１は、円錐外周面６３を有し、円錐外周面６３の中心軸の延在方向は、Ｚ方向に略一致する。また、レンズ本体４１は、Ｚ方向上側に開口する凹部４６を有し、凹部４６は、円錐外周面６３の中心軸に略一致する中心軸を有する。凹部４６の側面は、例えば、円筒内周面４８で構成されることができる。２つのレンズ固定部５７は、レンズ本体４１の中心軸をはさむようにＲ方向に対向配置され、各レンズ固定部５７は、円錐外周面６３からＲ方向外方に延在する。レンズ固定部５７は、Ｒ方向外方とＺ方向の両側に開口する凹部４７をＲ方向外方側に有する。
【００１７】
図６に示すように、レンズ取付部材４５は、面対称な構造を有し、リング部５０、２つのレンズ係止部５１、及び２つのホルダ係止部５２を有する。レンズ係止部５１は、リング５０から径方向外方側に突出し、Ｒ方向両側とＺ方向上側が開口する凹部５９を有する。また、ホルダ係止部５２は、レンズ係止部５１のＲ方向外方側の端面からＲ方向外方側に突出する。凹部５９においてＲ方向及びＺ方向の両方に直交する直交方向の長さａは、レンズ固定部５７（図５参照）の先端部におけるＲ方向及びＺ方向の両方に直交する直交方向の長さｂより大きい。
【００１８】
図７に示すように、レンズ固定部５７の先端部は、凹部５９の底面５３に載置される。また、基板ホルダ３０は、下側に突出する突出部３１を含み、突出部３１は、互いに間隔をおいて配置される３つの柱状部３２を先端側に有する。一方側の柱状部３２の一端から他方側の柱状部３２の他端までの上記直交方向の長さは、上記ａと同一かａより僅かに小さい。また、中央の柱状部３２の上記直交方向の長さは、凹部４７の上記直交方向の長さｃ（図５参照）と同一かｃより僅かに小さい。中央の柱状部３２は凹部４７を通過し、その先端面は底面５３に接触する。
【００１９】
再度、図６を参照して、ホルダ係止部５２は、貫通孔５６、貫通孔５６の上記直交方向の両側に配置される一対の柱状部５４ａ,５４ｂ、及び貫通孔５６のＲ方向外側に位置するＺ方向下側を向いた係止端面５５を有する。また、図７に示すように、基板ホルダ３０は、下側に延在する係止部３４を有する。中央の柱状部３２を、凹部４７を通過させ後、その先端面を、底面５３に接触させたとする。すると、その接触と同時に、基板ホルダ３０の係止部３４が一対の柱状部５４ａ,５４ｂで位置決めされた状態で貫通孔５６（図６参照）に収容され、係止部３４の係止爪３４ａが、係止端面５５に係止される。これにより、基板ホルダ３０、固定レンズ４０、及びレンズ取付部材４５が、一体に統合される。図４に示すように、その統合構造が構成された状態で、レンズ取付部材４５のリング部５０は、レンズ本体４１のＲ方向外方に位置する。
【００２０】
次に、固定レンズアッセンブリ９０における光源モジュール２０の保持と、固定レンズアッセンブリ９０の筐体１０への固定について説明する。図８は、レンズ取付部材４５（図６参照）を取り外した固定レンズアッセンブリ９０を下から見た斜視図であり、図９は、図８に示す状態から更に固定レンズ４０を取り外した固定レンズアッセンブリ９０を下から見た斜視図である。また、図１０は、光源モジュール２０（図９参照）を取り外した固定レンズアッセンブリ９０を上から見た斜視図であり、図１１は、光源モジュール２０を保持した基板ホルダ３０を上から見た斜視図である。
【００２１】
図８に示す固定レンズアッセンブリ９０から固定レンズ４０を取り外すと、図９に示すように、光源２２が外部に露出する。図９を参照して、光源モジュール２０は、基板２１と、光源２２を有する。基板２１は、平面視で略矩形の形状を有し、光源２２は、円板状の形状を有し、基板２１の下面（実装面）の略中央に配設される。光源モジュール２０は、例えば、ＣＯＢ（Chip On Board）構造を有し、光源２２は、基板２１に実装された複数のＬＥＤ（light emitting diode）と、複数のＬＥＤを封止する封止部材を含む。
【００２２】
基板２１は、例えば、セラミックス基板、樹脂基板、又はメタルベース基板等で構成される。詳述しないが、基板２１には、一対の電極端子と、所定パターンの金属配線が形成される。一対の電極端子は、ＬＥＤを発光させるための直流電力を外部から受電するために設けられる。また、所定パターンの金属配線は、ＬＥＤ同士を電気的に接続するために設けられる。
【００２３】
ＬＥＤは、発光素子の一例である。ＬＥＤは、例えば、単色の可視光を発するベアチップで構成され、通電されれば青色光を発する青色ＬＥＤチップで構成される。複数のＬＥＤは、例えば基板２１にマトリクス状に配置される。なお、ＬＥＤは、基板に１つのみ実装されてもよい。封止部材は、例えば、透光性樹脂で構成され、蛍光体を含む。蛍光体は、ＬＥＤからの光を波長変換する役割を果たす。封止部材は、例えば、シリコーン樹脂に蛍光体粒子を分散させた蛍光体含有樹脂で構成される。光源モジュール２０が白色光を出射し、ＬＥＤが青色光を発光する青色ＬＥＤチップである場合、蛍光体粒子は、例えばＹＡＧ系の黄色蛍光体で構成される。
【００２４】
なお、封止部材は、例えば、全てのＬＥＤを一括封止してもよく、複数のＬＥＤを列ごとにライン状に封止してもよく、各ＬＥＤを１つずつ個別に封止してもよい。また、光源は、ＬＥＤ以外の発光素子を含んでもよく、半導体レーザ素子や、有機ＥＬ（Electro Luminescence）素子若しくは無機ＥＬ素子等の固体発光素子等を含んでもよい。又は、光源は、白熱灯や蛍光灯で構成されてもよい。
【００２５】
図９に示すように、２つのホルダ固定部材４２が、基板ホルダ３０の長手方向に間隔をおいて基板ホルダ３０の下側に配置される。ホルダ固定部材４２は、取付孔４３を有し、この取付孔４３は、Ｚ方向から見たとき、基板ホルダ３０の取付孔３９（図１０参照）に重なり、筐体１０の主面１８（図４参照）に設けられたねじ孔（図示せず）にも重なる。図１０に示すように、基板ホルダ３０は、平面視が略矩形の貫通孔３７を有する。ホルダ固定部材４２が、基板ホルダ３０に対して所定位置に配置されると、ホルダ固定部材４２の一部をなす基板受部４２ａが、Ｚ方向から見たとき貫通孔３７に重なる。基板ホルダ３０及びホルダ固定部材４２は、基板収容室２７を画定する。
【００２６】
図１１に示すように、光源モジュール２０は、光源２２を下側に向けた状態で基板収容室２７内に収容される。光源モジュール２０が基板収容室２７（図１０参照）に収容された状態で、基板２１の下面の一部が、基板受部４２ａ（図１０参照）に接触する。更には、基板収容室２７内に基板２１を収容した基板ホルダ３０を、上述したように、固定レンズ４０、及びレンズ取付部材４５と一体に統合する。その後、図示しないボルトを、下側から、ホルダ固定部材４２の取付孔４３（図９）、基板ホルダ３０の取付孔３９（図１０参照）、及び、筐体１０の主面１８に設けられたねじ孔（図示せず）に締め込む。この締め込みで、固定レンズアッセンブリ９０（図７参照）が、筐体１０の主面１８に固定される。
【００２７】
図３に示すように、本実施例では、固定レンズアッセンブリ９０が主面１８に固定された状態で、光源２２の光出射側の先端２９におけるＺ方向位置が、固定レンズ４０の基板側の先端６２におけるＺ方向位置と一致する。なお、固定レンズアッセンブリが、主面に固定された状態で、固定レンズの基板側の先端が、光源における光出射側の先端に対してＺ方向に１ｍｍ光出射側に移動した位置よりもＺ方向の基板側に位置すると好ましい。また、固定レンズの基板側の先端（Ｚ方向上端）のＺ方向位置が、光源の光出射側の先端（Ｚ方向下端）のＺ方向位置と一致するか、又は光源のＺ方向下端のＺ方向位置よりも基板側に位置すると更に好ましく、その場合において、固定レンズの基板側の先端は、基板に接触してもよい。
【００２８】
次に、移動レンズ６０（図２参照）を、Ｚ方向に移動可能にする構造について説明する。図１２は、レンズホルダ７０とそれに保持された移動レンズ６０とで構成される光学ブロック９５の斜視図であり、図１３は、レンズホルダ７０の斜視図であり、図１４は、移動レンズ６０の斜視図である。図１２に示すように、レンズホルダ７０は、環状部材であり、移動レンズ６０を取り囲むように配置される。レンズホルダ７０は、アルミニウム等の金属材料、又はポリブチレンテレフタレート等の樹脂材料によって好適に形成される。また、移動レンズ６０は、透光性を有する透光性材料によって構成され、アクリル、ポリカーボネート、シリコーン等の透明樹脂材料、又は、ガラス材料によって形成されると好ましい。
【００２９】
図１３に示すように、レンズホルダ７０は、θ方向に間隔をおいて配置される２つの凹部７１を有し、各凹部７１は、Ｚ方向上側及びＲ方向両側に開口し、Ｚ方向に延在する。凹部７１の役割については後で説明する。また、レンズホルダ７０は、３つのレンズ嵌合部７３を有し、３つのレンズ嵌合部７３は、θ方向に略等間隔に配置されて内周側に配置される。レンズ嵌合部７３は、Ｒ方向内方に突出する突出部で構成される。
【００３０】
図１４に示すように、移動レンズ６０は、Ｚ方向下側に行くにしたがって末広がりとなる形状を有する。移動レンズ６０は、外周側の下側端部にθ方向に略等間隔に配置される３つのホルダ嵌合部６１を有する。ホルダ嵌合部６１は、レンズ嵌合部７３（図１３参照）の形状に対応する形状であり、Ｒ方向内側に窪む凹部で構成される。レンズ嵌合部７３をホルダ嵌合部６１に圧入で嵌合させることで、移動レンズ６０がレンズホルダ７０に固定され、その結果、図１２に示す光学ブロック９５が構成される。
【００３１】
次に、回転部材８０（図２参照）に対する光学ブロック９５の相対移動可能な統合構造について説明する。図１２に示すように、レンズホルダ７０は、外周側に２つの嵌合爪７８を有する。２つの嵌合爪７８は、中心軸を介してＲ方向に対向するように配置され、各嵌合爪７８は、板形状を有し、Ｚ方向に対して傾斜する方向に延在する。
【００３２】
図１５は、回転部材８０の斜視図である。図１５に示すように、回転部材８０は、略円筒状の部材であり、θ方向に間隔をおいて配置される２つの傾斜溝８１を有する。傾斜溝８１は、螺旋溝の一部からなる形状を有する。傾斜溝８１は、Ｚ方向に対して傾斜し、θ方向一方側に行くにしたがって回転部材８０のＺ方向下側からＺ方向上側まで延在する。傾斜溝８１は、回転部材８０を厚さ方向に貫通する細長い長孔形状の貫通孔の構造を有し、Ｚ方向に対向する一対の内壁面（傾斜面）８１ａ,８１ｂを含む。
【００３３】
図１６に示すように、光学ブロック９５においてＲ方向外方に突出する嵌合爪７８を、回転部材８０の傾斜溝８１に嵌合させることで、光学ブロック９５と回転部材８０が一体に統合され、回転部材アッセンブリ８５が構成される。嵌合爪７８は、傾斜溝８１内を傾斜溝８１の延在方向に移動可能になっている。光学ブロック９５が、図１６に示す状態から回転部材８０に対してθ１に示す方向に相対回転すると、光学ブロック９５ひいては移動レンズ６０が回転部材８０に対してＺ方向上側に移動する。このように、傾斜溝８１内における嵌合爪７８の存在位置を調整することで、回転部材８０に対する移動レンズ６０のＺ方向位置を調整できる。
【００３４】
次に、筐体１０に対する回転部材アッセンブリ８５の取付構造について説明する。図１に示すように、筐体１０は、２分割構造を有し、第１部材１０ａと第２部材１０ｂを含む。また、図４に示すように、筐体１０の主面１８には、ねじ孔１３が設けられる。また、図３に示すように、回り止め部材９７が、ねじ孔１３に締め込まれて主面１８に固定される。回り止め部材９７は、柱状の部材であり、主面１８に固定された状態でＺ方向に延在する。回り止め部材９７の先端側９７ａは、主面に１８に固定された状態でレンズホルダ７０の凹部７１内に配置される。これにより、筐体１０に対する光学ブロック９５のθ方向の相対回転の範囲が所定の周方向領域に制限される。
【００３５】
図３に示すように、筐体１０は、１以上の環状溝２８を内周面に有し、回転部材８０は、環状溝２８にＺ方向に僅かな隙間を有した状態で収容されると共にθ方向に間隔をおいて配置される複数の突出部８９を有する。回り止め部材９７の先端側９７ａがレンズホルダ７０の凹部７１内に配置されると共に、回転部材８０の突出部８９が筐体１０の環状溝２８に収容された状態で図示しないねじで第１部材１０ａ（図１参照）と第２部材１０ｂを一体化する。この一体化で、回転部材アッセンブリ８５が筐体１０に取り付けられて筐体１０と統合される。上記Ｚ方向の僅かな隙間が存在するため、回転部材８０を筐体１０に対して円滑に回転させることができる。筐体１０に対する回転部材８０のＺ方向位置は、その僅かな隙間のＺ方向長さだけ変動し、換言すると、筐体１０に対する回転部材８０のＺ方向位置は略変動しない。
【００３６】
再度、図１５を参照して、回転部材８０は、人がそれを掴んで回転させるための環状の把持部８２をＺ方向下側に有する。図１に示すように、照明装置１が組み立てられた状態で、把持部８２は、筐体１０よりもＺ方向下側に突出する。したがって、人は、回転部材８０の把持部８２を回転させることができ、筐体１０に対して回転部材８０をθ方向の双方向に自在に回転させることができる。
【００３７】
上記構成において、人が把持部８２を用いて筐体１０に対して回転部材８０を回転させたとする。すると、回り止め部材９７の先端側９７ａがレンズホルダ７０の凹部７１内に配置されて、筐体１０に対する光学ブロック９５のθ方向移動が僅かな範囲に制限されているため、光学ブロック９５が回転部材８０の回転と共に連れ回りすることがない状態で、回転部材８０が、光学ブロック９５に対して相対回転する。したがって、この相対回転によって、嵌合爪７８が、傾斜溝８１内を移動し、その結果、光学ブロック９５が回転部材８０に対してＺ方向に相対移動する。よって、上述のように、回転部材８０が回転しても、回転部材８０のＺ方向位置が殆ど変化しないので、光学ブロック９５のＺ方向位置を自在に変動させることができ、光学ブロック９５に含まれる移動レンズ６０のＺ方向位置も自在に変動させることができる。
【００３８】
次に固定レンズ４０の出射光制御について説明する。照明装置１の模式断面図である図１７を参照して、仮に固定レンズ４０が存在しなかった場合、出射光は、矢印Ａで示すように、光源２２からより広範囲にＲ方向外方に広がり易い。そして、光源２２からのＺ方向距離が短い場合でも、より大きな光量の光がＲ方向外方に進行する。
【００３９】
これに対し、本実施例のように、固定レンズ４０を光源２２の近傍に固定した場合、光源２２から出射する光の殆どを、固定レンズ４０に入射させることができる。そして、光源２２からの光を、固定レンズ４０で矢印Ｂで示すＺ方向との角度が小さくなる方向に制御でき、より下側方向に進行するように制御できる。よって、光源２２からＲ方向外側に進行して移動レンズ６０に入射しない光を抑制できて照明装置１の光学効率を上げることができると共に、光源２２からの出射光を、移動レンズ６０で精密な配光制御を実行し易い光にできる。
【００４０】
次に、試験例を示すことで、これらの作用効果についてより客観的に説明する。図１８は、１枚の移動レンズのみを有する参考例の照明装置、並びに固定レンズ及び移動レンズ（２枚のレンズ）を有する一実施例の照明装置の夫々における光学効率と、移動レンズのＺ方向位置との関係について説明する図である。図１８に示すように、１枚の移動レンズでは、移動レンズが光源に近い位置から狭角配光位置まで光源から離れると、光学効率が８０％から６０％程度まで急激に低下する。これに対し、固定レンズ及び移動レンズを有する場合、移動レンズが光源に近い位置から狭角配光位置まで光源から離れても、光学効率が略一定に保たれ、殆ど低下することがない。したがって、本実施例の照明装置１のように、固定レンズ４０及び移動レンズ６０を有する場合、移動レンズ６０のＺ方向位置に拠らず光学効率を高い値にすることができ、光源２２から出射される光を効率的に照明に利用できる。
【００４１】
図１９は、１枚の移動レンズのみを有する参考例の照明装置における移動レンズの位置と配光の関係について説明する図である。また、図２０は、固定レンズ及び移動レンズ（２枚のレンズ）を有する一実施例の照明装置における移動レンズの位置と配光の関係について説明する図である。なお、図１９及び図２０において、移動距離は、移動レンズの光源からの距離を表し、値が正の大きい値になる程、光源からの距離が遠く、値が負の大きな値になる程、光源からの距離が近いことを意味する。また、図１９及び図２０から明らかなように、レンズを狭角位置（光源から距離が離れた位置）から光源に近づけるほど、配光角度が広くなっていく。
【００４２】
図１９に示す例では、参考例の照明装置でも、移動距離が０の場合に示されているように、移動レンズが光源か離れた位置で、光が照明装置直下の狭い範囲に出射されており、狭角性能に優れる。しかし、移動距離が−９以上−５以下の場合に示されているように、参考例の照明装置では、照明装置直下の領域の出射光の光量が周辺領域に出射される光の光量よりも低い中落ち現象（照射領域の中央部が暗くなる現象）が広範囲の移動距離で確認でき、しかも中落ちの度合も大きくなっている。ここで、図示はしないが、移動レンズの形状等を変更して中落ち現象を抑制しようとすると、狭角性能が悪化する。
【００４３】
これに対し、図２０に示す一実施例の照明装置の場合、移動距離が０.５の場合に示されているように、移動レンズが光源か離れた位置で、光が照明装置直下の狭い範囲に出射されており、狭角性能に優れる。また、移動距離が−８以上０.５以下の殆どの範囲で、中落ちが生じることがなく、非常に小さな中落の発生も、移動距離−３、及び−４の場合のみに限られる。したって、本開示の照明装置１のように、固定レンズ４０及び移動レンズ６０を備える場合、良好な狭角特性と中落ち抑制の両方を実現し易い。
【００４４】
更には、本開示の照明装置１では、移動レンズの耐久性も向上できる。詳しくは、照明装置では、図３に示す照明装置１のように、移動レンズ６０の外径側にＺ方向上側に突出する環状のフレネル部６８を設けて、移動レンズ６０が受光する光の光量を大きくすることがある。ここで、一般的に、移動レンズを光源に近づけたとき、光軸方向に関して、フレネル部が光源に最も近く位置することになるので、光源からの強い光がフレネル部に照射される。したがって、フレネル部が光を吸収することで、フレネル部の温度、特に、その先端温度が高くなって、フレネル部が熱劣化を起こし易い。
【００４５】
しかし、本開示の照明装置１では、図１７を用いて説明したように、光源２２からの光を固定レンズ４０で下側に制御でき、光源２２からＲ方向外方のフレネル部６８に進行する光を大きく抑制できて、フレネル部６８に入射する光の光量を大きく低減できる。したがって、図２１及び図２２に示すように、フレネル部６８の先端温度を、図２１に示す移動レンズ６０が光源から遠いときよりも図２２に示す移動レンズ６０が光源に近いときに低くできる。より詳しくは、図２２に示す状態は、図２１に示す状態よりも移動レンズ６０が光源に近くなっているにも拘わらず、フレネル部６８の先端の温度が、図２１に示す状態の７２.０℃よりも低い６９.１℃となっている。よって、移動レンズ６０の熱劣化を大きく抑制でき、移動レンズ６０の耐久性を向上できる。
【００４６】
以上、照明装置１は、筐体１０と、筐体１０内に固定される光源２２と、筐体１０内に固定され、光源２２よりもＺ方向の光出射側に位置する光出射部（図３参照）８８を有する固定レンズ４０を備える。また、照明装置１は、固定レンズ４０よりもＺ方向の光出射側に配置される投光部８７を有し、光源２２とのＺ方向（光軸方向）の距離が変動可能である移動レンズ６０を備える。また、光出射部８８は、固定レンズ４０におけるＺ方向の光出射側の端面で構成され、投光部８７は、移動レンズ６０におけるＺ方向の光出射側の端面で構成される。
【００４７】
したがって、光源２２から出射された出射光のうちのより多くを固定レンズ４０で受光でき、固定レンズ４０が受光した光をＺ方向に対する傾斜角度が小さい方向に配光制御でき、下側に向かうように制御できる。したがって、光学効率を上げ易くて、光を効率的に利用できると共に、光源２２からの出射光を、移動レンズ６０でより精密に配光制御し易い。よって、良好な狭角特性と中落ち抑制の両方を実現し易い。
【００４８】
また、移動レンズ６０が、外周側にフレネル部６８を有してもよい。
【００４９】
本構成によれば、光源２２からＲ方向外側に出射された光をフレネル部６８で受光し易い。したがって、光学効率を大きくできる。なお、本構成は、採用されると好ましいが、採用されなくてもよく、移動レンズが、外周側にフレネル部を有さなくてもよい。
【００５０】
また、固定レンズ４０が、移動レンズ６０よりも耐熱性に優れてもよい。この構成は、例えば、固定レンズ４０を、耐熱性に優れるシリコ−ン系樹脂やガラスで構成し、移動レンズ６０を、シリコ−ン系樹脂やガラスよりも耐熱性が劣るアクリルやポリカーボネートで構成することで実現できる。
【００５１】
本構成によれば、固定レンズ４０が、光源２２からの光や光源２２で生成される熱で熱劣化しにくい。したがって、照明装置１の耐久性を向上させることができる。なお、本構成は、採用されると好ましいが、採用されなくてもよい。例えば、移動レンズと固定レンズが、同一の透明材料で構成されて、移動レンズが、固定レンズと同一の耐熱性を有してもよい。又は移動レンズは固定レンズよりも優れた耐熱性を有してもよい。
【００５２】
また、光源２２は、基板２１に実装されてもよい。また、固定レンズ４０の基板２１側の先端６２が、光源２２における光出射側の先端２９に対してＺ方向に１ｍｍ（１ミリメートル）光出射側に移動した位置よりもＺ方向の基板２１側に位置してもよい。
【００５３】
本構成によれば、光源２２から出射された光をより効率的に固定レンズ４０で受光できる。よって、光学効率を更に向上できると共に、移動レンズ６０における配光制御を更に精密に実行できる。
【００５４】
なお、本開示は、上記実施形態およびその変形例に限定されるものではなく、本願の特許請求の範囲に記載された事項およびその均等な範囲において種々の改良や変更が可能である。
【００５５】
例えば、上記実施形態では、回転部材８０が傾斜溝８１を有し、光学ブロック９５が嵌合爪７８を有する場合について説明した。しかし、光学ブロックが外周面に光軸方向に対して傾斜する傾斜溝を有してもよく、回転部材が、傾斜溝に嵌り込んで回転部材が回転すると傾斜溝内における存在位置が変動する嵌合爪を有してもよい。
【００５６】
また、光学ブロック９５をレンズホルダ７０及び移動レンズ６０で構成する場合について説明した。しかし、光学ブロックは、レンズのみで構成されてもよい。
【００５７】
また、傾斜溝８１が、回転部材８０を厚さ方向に貫通する場合について説明した。しかし、傾斜溝は、回転部材又は光学ブロックの側壁部を厚さ方向に貫通しなくてもよく、一対の内壁部の間を連結する底部を有してもよい。但し、傾斜溝が、それが形成される部材を厚さ方向に貫通する貫通孔の構造を有している場合、嵌合爪の該厚さ方向の寸法を大きくできて嵌合爪の体積を大きくできる。よって、嵌合爪の強度を大きくできて好ましい。
【００５８】
また、傾斜溝８１に嵌り込む嵌合部が、板形状の嵌合爪７８である場合について説明した。しかし、傾斜溝に嵌り込む嵌合部は、板形状以外の如何なる形状でもよくて、例えば、ピン形状等でもよい。
【００５９】
また、レンズ嵌合部７３が、Ｒ方向内方に突出する突出部で構成され、ホルダ嵌合部６１が、Ｒ方向内側に窪む凹部で構成される場合について説明した。しかし、レンズ嵌合部が、Ｒ方向外側に窪む凹部で構成され、ホルダ嵌合部が、Ｒ方向外方に突出すると共にその凹部に嵌合する突出部で構成されてもよい。
【００６０】
また、レンズホルダ７０が、θ方向に互いに間隔をおいて配置される２つの凹部７１を有していたが、レンズホルダは、１以上の凹部を有すればよい。また、レンズホルダ７０が、θ方向に互いに間隔をおいて配置される３つのレンズ嵌合部７３を有し、移動レンズ６０が、θ方向に互いに間隔をおいて配置される３つのホルダ嵌合部６１を有する場合について説明した。しかし、レンズホルダは、１以上のレンズ嵌合部を有すればよくて、θ方向に互いに間隔をおいて配置される２以上のレンズ嵌合部を有すると好ましい。また、レンズも、１以上のホルダ嵌合部を有すればよくて、θ方向に互いに間隔をおいて配置される２以上のホルダ嵌合部を有すると好ましい。また、照明装置１が、θ方向に互いに間隔をおいて配置される２つの傾斜溝８１を有する場合について説明した。しかし、照明装置は、１つのみの傾斜溝を有してもよく、θ方向に互いに間隔をおいて配置される３以上の傾斜溝を有してもよい。なお、照明装置が、Ｎ（Ｎは、いずれかの自然数）の傾斜溝を有する場合、回転部材が、基台に対して（３６０／Ｎ）°回転すればよく、照明装置が、２以上の傾斜溝を有する場合、回転部材が基台に対して３６０°回転する必要はない。
【００６１】
また、移動レンズを光軸方向に移動可能とする構成は、多種多様知られているが、本開示の技術では、その技術のうちのいずれの技術も採用できる。例えば、本実施例では、回転部材８０が、光源２２に対してＺ方向位置が略変わらずに回転可能となっている構成について説明した。しかし、回転部材は、例えば、特許第５７１７５１６号に記載されている技術や特許６１５９４６０号に記載されている技術のように、筐体に対して光軸方向に移動可能でもよい。そして、光学ブロック又は移動レンズが、回転部材に直接又は他の部材を介して間接的に固定されていることで筐体に対して光軸方向に移動可能でもよい。
【００６２】
また、ダウンライトやスポットライトは多種多様な構造が存在するが、本開示の技術は、それらの多種多様のダウンライトやスポットライトのうちのいずれの構造が基本となっていてもよい。また、照明装置１が、埋め込み型ダウンライトである場合について説明したが、照明装置は、レールに吊り下げられる形式や、天井に吊り下げられる形式でもよい。要は、本開示の照明装置は、筐体と、筐体内に固定される光源と、筐体内に固定され、光源よりも光軸方向の光出射側に位置する光出射部を有する固定レンズと、固定レンズよりも光軸方向の光出射側に配置される投光部を有し、光源との光軸方向の距離が変動可能である移動レンズと、を備える構成を有していれば、如何なる構造の照明装置でもよい。
【００６３】
更に述べると、移動レンズは、光軸方向（Ｚ方向）の光出射側とは反対側に突出する１以上の環状のフレネル部を外周側に有してもよい。この場合、フレネル部で、固定レンズからの光をより効率的に受光できるので、出射光の光度を高くし易く、更には、フレネル部で、受光した光の進行方向を光軸側に変更し易くなるため、狭角性能も良好なものにし易い。
【００６４】
また、特に、図１４に示すように、移動レンズ６０が、光軸方向（Ｚ方向）の光出射側とは反対側に突出する１つの環状のフレネル部６８をＺ方向の光入射側の外周側に有していると好ましい。また、図３に示すように、固定レンズ４０のＺ方向の光出射側のレンズ有効径（参照番号６４は、固定レンズ４０のレンズ有効径上に位置する一箇所を示す）が、光源２２の外径よりも大きくて、移動レンズ６０のＺ方向の光出射側のレンズ有効径（参照番号６５は、移動レンズ６０のレンズ有効径上に位置する一箇所を示す）よりも小さいと好ましい。
【００６５】
上述のように、光源２２は、基板２１に実装された複数のＬＥＤ（発光素子）と、その複数のＬＥＤを封止する封止部材とを含む。図３に示すように、固定レンズ４０の上記レンズ有効径は、光源２２のＺ方向の光出射側の環状縁の外接円の直径よりも大きくなっている。また、光源２２から出射される出射光の光軸は、固定レンズ４０の中心軸に略一致すると共に、移動レンズ６０の中心軸に略一致している。
【００６６】
なお、図９に示すように、本実施例では、光源２２が、円板形状を有するので、光源２２の光出射側の環状縁と、その外接円とは、一致する。しかし、光源は、例えば、光軸方向から見たとき、正方形や長方形であってもよく、そのような場合、外接円は、光源のＺ方向の光出射側の環状縁の４つの角を通過する円として定義される。また、固定レンズの光出射側のレンズ有効径が、移動レンズにおいてＺ方向の光出射側とは反対側に形成される１以上の環状のフレネル部のうちで最も径方向の内方側に位置する内側フレネル部の内径よりも小さいと好ましい。より具体的な例について述べると、本実施形態では、移動レンズ６０が１つのみの環状のフレネル部６８をＺ方向の光入射側の外周側に有し、そのフレネル部６８が、内側フレネル部となる。この場合において、固定レンズ４０の上記レンズ有効径が、環状のフレネル部６８の内径よりも小さいと好ましい。
【００６７】
また、固定レンズ４０は、次に説明する集光度を有すると好ましい。図２３は、移動レンズ６０が光源２２から最も離れた狭角位置に配置されている状態における、光源２２、固定レンズ４０、及び移動レンズ６０の位置関係の一例を表す模式図である。図２３に示すように、固定レンズ４０は、そこから出射された光円錐（ライトコーン）６７の周囲光６９を、光源２２から最も離れた狭角位置に配置された移動レンズ６０のＺ方向の光入射面の外縁７２に入射させることができる程度の集光度を有していると好ましい。換言すると、固定レンズ４０は、そこから出射する出射光の内で周囲に位置する周囲光６９を、最も光軸方向の光出射側に位置している移動レンズ６０の光入射面７４の外縁部７５に入射させることが可能な集光度を有すると好ましい。
【００６８】
次に、これらの構成から導かれる作用効果について説明する。上述のように本実施例では、固定レンズ４０の上記レンズ有効径が、光源２２の外径よりも大きくて、移動レンズ６０の上記レンズ有効径よりも小さくなっている。したがって、固定レンズ４０が、光源が出射した光を効率的に受光でき、更には、固定レンズ４０の集光度を、固定レンズ４０から出射された周囲光６９が狭角位置に配置されている移動レンズ６０の光入射面７４の外縁部７５に入射可能な集光度に調整し易くなる。また、本実施例のように、固定レンズ４０の上記レンズ有効径が、環状のフレネル部６８の内径よりも小さいと、更に、周囲光６９を、狭角位置に配置されている移動レンズ６０の光入射面７４の外縁部７５に入射させ易くなる。
【００６９】
また、本実施例では、固定レンズ４０から出射された周囲光６９が、狭角位置に配置されている移動レンズ６０の光入射面７４の外縁部７５に入射する。よって、図２４、すなわち、そのような場合における、移動レンズ６０の狭角位置における光の制御を表す模式図に示すように、周囲光６９の進行方向を、矢印αで示すように光軸方向（Ｚ方向）に略平行な方向に変え易い。また、本開示の移動レンズ６０のように、Ｚ方向の光出射側に光出射側に突出する１以上の環状のフレネル部７６を有する場合、そのフレネル部７６においても、そこに入射した光の進行方向を、矢印βで示すように光軸方向（Ｚ方向）に略平行な方向に変え易い。よって、移動レンズ６０が狭角位置に存在するとき、移動レンズ６０の径方向の全ての位置で、移動レンズ６０から出射された出射光を直下方向に進行させ易くなって、直下光度を高めることができると共に、１／２ビーム角（中心に比べて明るさが半分になる角度）を狭めることもできて、移動レンズ６０が、狭角位置に存在する場合における狭角性能を優れたものにできる。
【００７０】
更には、上述の構成を有する場合、次に図２５及び図２６を用いて説明するように、中落現象の発生も効果的に抑制できる。図２５は、照明装置１との比較において、固定レンズ４０が存在しなくて、移動レンズ６０のみが存在する照明装置における、中角位置での光の進行方向を表す図である。そのような場合、図２５において一点鎖線で囲んだ領域に示すように、光入射側かつ外周側のフレネル部６８の全反射面６８ａで全反射して同じ方向に進行する光Ｌ１が増加し、その光Ｌ１に起因して直下方向より高い光の照度のピークが照射面に生じる。更には、図２５において二点鎖線で囲んだ領域に示すように、光出射側かつ径方向中央側のフレネル部７６（図２４参照）で屈折して同じ方向に進行する光Ｌ２も増加し、この光Ｌ２も直下方向より高い光の照度のピークを照射面に生成する。よって、それらの光Ｌ１,Ｌ２の照度のピークより、中落現象が現れる。
【００７１】
これに対し、固定レンズ４０から出射された周囲光６９が、狭角位置に配置されている移動レンズ６０の光入射面７４の外縁部７５に入射するようになっていると、図２６、すなわち、移動レンズ６０が光源２２に最も近づいている広角位置に配置されている状態における図２３に対応する模式図に示すように、固定レンズ４０から出射された周囲光６９が、移動レンズ６０が光源２２に近づくにつれて移動レンズ６０の外周側のフレネル部６８に入射しなくなる。したがって、移動レンズ６０が中角位置に存在している場合に、全反射面６８ａで全反射する上記光Ｌ１を減少させることができ、その結果、中落現象を効果的に抑制できる。
【００７２】
更には、Ｚ方向に光出射側とは反対側に突出するフレネル部で全反射する光は、配光制御できず、中落現象を引き起こし易いが、Ｚ方向に光出射側とは反対側に突出するフレネル部が、径方向内側に配置されるほど、光源からの光がフレネル部の全反射面で全反射し易くなる。よって、照明装置１のように、光出射側とは反対側に突出する１つのみの環状のフレネル部６８をＺ方向の光入射側の外周側（例えば、最外周）に有すると、そのような中落の原因となる全反射面で全反射する光を抑制できて好ましい。
【００７３】
更には、特に、固定レンズ４０の上記レンズ有効径が、光源２２の直径の２.５倍以下となると好ましく、より厳密に述べると、固定レンズ４０の上記レンズ有効径が、上記外接円の直径の２.５倍以下であると好ましい。この変形例によれば、一般的な器具サイズから大きくすることなく、狭角性能を得ることが可能になり、例えば、一般的な器具サイズから大きくすることなく、１／２ビーム角で１４°未満の優れた狭角性能を実現することが可能になる。ユニバーサルダウンライトのような首振りによって光軸方向を調整可能な器具の場合、天井の埋込穴径が決まっていたり、器具の首振り角度の都合上、器具を伸ばすことが難しい。よって、この構成の作用効果がより顕著なものとなる。
【００７４】
また、本明細書の前半で述べたように、固定レンズの基板側の先端（Ｚ方向上端）のＺ方向位置が、光源の光出射側の先端（Ｚ方向下端）のＺ方向位置と一致するか、又は光源のＺ方向下端のＺ方向位置よりも基板側に位置すると更に好ましく、その場合において、固定レンズの基板側の先端は、基板に接触してもよい。また、固定レンズ４０は、光源２２の光出射面を、光源２２から出射される出射光の光軸方向に対して‐９０°以上９０°以下傾斜する範囲について周方向に関して全周に亘って覆っていると好ましい。言い換えると、図５に示すように、固定レンズ４０が、光源２２に対して光軸方向に対向する対向面７７と、対向面７７よりも外周側に位置して、対向面７７よりも光軸方向の光出射側とは反対側に突出する環状のフレネル部７９と、を有してもよい。そして、光源２２の光出射面が、対向面７７と環状のフレネル部７９とが画定する凹部９１に収容されてもよい。
【００７５】
固定レンズは、光入射面が凹形状で、出射面側が凸形状でもよい。そして、固定レンズの光軸方向の光出射側とは反対側が、光源の発光面より基板における発光素子の実装面側に位置してもよい。又は、固定レンズは、光源２２の外径よりも径方向の外側に光源方向に凸のフレネル部を有してもよい。そして、フレネル部における光軸方向の光出射側とは反対側の先端が、光源の発光面より基板における発光素子の実装面側に位置してもよい。本変形例によれば、光源２２が出射した光の略全てを、固定レンズ４０に入射させることができる。よって、迷光を大きく低減でき、出射光の光度を高くできる。更には、固定レンズ４０で拾いきれず発光素子の周辺部材の隙間などから漏れ出た光線が、器具内での反射などを介して制御できないものとなって、配光として必要のない箇所にとぶことも抑制できる。移動レンズ６０やその保持部材が上下する関係で、反射の原因となる箇所（例えば灯具本体内面）を移動レンズ６０がどの位置にきたときにも隠れた状態にすることが難しい。本構成によれば、そのような制御できない光を抑制でき、照射面の光ムラを改善できる。
【００７６】
なお、移動レンズが広角位置周辺に存在するとき、照射光に色ムラが生じることがある。この色ムラの改善を、次のように実行すると好ましい。詳しくは、固定レンズの一部または全体に、光を拡散させる構造を形成すると好ましく、例えば、固定レンズにおいて、光源に光軸方向に対向する光入射面にシボ等の凹凸構造を形成すると好ましい。固定レンズに光を拡散するシボ等の構造を形成すると共に移動レンズに光を拡散させるディンプル等の構造を形成して色ムラを改善する場合、固定レンズに光を拡散する構造を全く形成せずに、移動レンズのみに、光を拡散させる深さが深いディンプル等の構造を形成して色ムラを改善する場合との比較において、輝度上昇を抑えることができる。よって、固定レンズの一部または全体に、拡散性を有する構造を形成すると、眩しさを抑制することができる。
【００７７】
より、詳細に説明すると、固定レンズは器具外郭に出ていないのに対して、移動レンズは器具外郭に出ているため、表面で光が拡散すると、配光の角度外（例えば器具を見上げ角度３０°）で器具を斜めに見上げたときの輝度が眩しくなる。固定レンズの一部または全体に、光を拡散させる構造を形成すると、器具の狙いの配光角度より外側の余計な角度の光の輝度を抑えることができ、そのような光に起因する眩しさを抑制できる。
【００７８】
また、一つの移動レンズのみを有する照明装置において、移動レンズを耐熱性が高い透明材料（例えば、シリコーンやガラス）で形成した場合、移動レンズを汎用の透明樹脂（例えば、アクリルやポリカーボネート）で形成した場合との比較において、材料費が高くつき、成形も容易でない。これに対し、本開示の２枚レンズ構造では、固定レンズを小さくできると共に、固定レンズの形状もシンプルな形状にできる。よって、一つの移動レンズのみを有する照明装置において、その移動レンズを耐熱性が高い透明材料で形成した場合との比較において、本開示の２枚レンズ構造で、移動レンズを汎用の透明樹脂で形成する一方、固定レンズを耐熱性が高い透明材料で形成した場合、２枚レンズ構造の耐熱性を良好なものにできるだけでなく、製造コストを低減し易く、成形も容易に実行できる。
【符号の説明】
【００７９】
１  照明装置、  １０  筐体、  ２１  基板、  ２２  光源、  ２９  光源における光出射側の先端、  ４０  固定レンズ、  ６０  移動レンズ、  ６２  固定レンズの基板側の先端、  ６８  フレネル部、  ６９  周囲光、  ７２  移動レンズの光入射面の外縁、  ７４  移動レンズの光入射面、  ７５  移動レンズの光入射面の外縁部、  ７７  対向面、  ７９  フレネル部、  ８７  投光部、  ８８  光出射部、  ９１  凹部、  Ｒ方向  レンズ本体の径方向、  θ方向  レンズ本体の周方向、  Ｚ方向  光軸方向。
【図１】
2020077602.tif 000003
【図２】
2020077602.tif 000004
【図３】
2020077602.tif 000005
【図４】
2020077602.tif 000006
【図５】
2020077602.tif 000007
【図６】
2020077602.tif 000008
【図７】
2020077602.tif 000009
【図８】
2020077602.tif 000010
【図９】
2020077602.tif 000011
【図１０】
2020077602.tif 000012
【図１１】
2020077602.tif 000013
【図１２】
2020077602.tif 000014
【図１３】
2020077602.tif 000015
【図１４】
2020077602.tif 000016
【図１５】
2020077602.tif 000017
【図１６】
2020077602.tif 000018
【図１７】
2020077602.tif 000019
【図１８】
2020077602.tif 000020
【図１９】
2020077602.tif 000021
【図２０】
2020077602.tif 000022
【図２１】
2020077602.tif 000023
【図２２】
2020077602.tif 000024
【図２３】
2020077602.tif 000025
【図２４】
2020077602.tif 000026
【図２５】
2020077602.tif 000027
【図２６】
2020077602.tif 000028